(57)【要約】  【課題】自動販売機の筐体に関し、熱損失を最小限に抑えた高い断熱性能を有したうえで高い構造的強度を有する構造とするものである。  【解決手段】自動販売機の筐体を構成するために、断熱材を囲うべく鋼板を配して構成した複数の断熱パネル５６ａ〜５６ｅと、外箱５５の内側に断熱パネル５６ａ〜５６ｅを配設して断熱パネル５６ａ〜５６ｅの鋼板を内壁として構成された内箱５８と、前記断熱パネルの少なくとも１つには断熱材の内部に真空断熱パネル６２を埋設して高い断熱性能を有したうえで高い構造的強度を有する構造とするものである。【選択図】図１
2006331253.tif 000002
【特許請求の範囲】
【請求項１】
天板、底板、両側板および背板から成る外箱と、前記外箱の内側に複数の断熱パネルを配置し、内壁として構成した内箱とで形成される自動販売機の筐体において、前記断熱パネルは外周を鋼板で覆い、内部には充填発泡した断熱材を備え、前記断熱パネルの少なくとも１つには内部に真空断熱パネルを埋設したことを特徴とする自動販売機の筐体。
【請求項２】
断熱パネル同士の当接面は、部分的に開口し、前記断熱パネル内の断熱部が対向して当接することを特徴とする請求項１に記載の自動販売機の筐体。
【請求項３】
内箱を形成する側板と背板の断熱パネルの壁厚は、側板の断熱パネル壁厚が背板の断熱パネルの壁厚よりも薄いことを特徴とする請求項１または２に記載の自動販売機の筐体。
【請求項４】
側板の断熱パネル内には真空断熱パネルを有し、鋼板の外箱側に埋設されたことを特徴とする請求項１から３のいずれか一項に記載の自動販売機の筐体。
【請求項５】
側板の断熱パネルに当接する背板の断熱パネルの当接面は、略面取り形状に形成されていることを特徴とする請求項１から４のいずれか一項に記載の自動販売機の筐体。
【発明の詳細な説明】
【技術分野】
【０００１】
本発明は、商品を冷凍・冷蔵または加温した状態で、顧客の要望に応じて販売する自動販売機の筐体に関するものである。
【背景技術】
【０００２】
従来、この種の自動販売機の筐体は、天面、底面、両側面および背面から成る断熱筐体の正面に、断熱ドアとメインドアを組み込んで、外殻が構成され、内部に商品を収納するラック、冷却装置、加温装置等を内蔵するようになっている。このような自動販売機の従来の筐体は、内部の商品や装置の外部環境（自動販売機が設置されている気候や雰囲気等の環境）からの保護、商品の盗難防止機能に加え、商品の保温・保冷庫としての機能を有している。このため、筐体は、天板と底板と左右の両側板と背板とから成る外箱と、外箱より小さく略相似形に形成された内箱と、前記外箱と前記内箱の間に配設された断熱部材とで構成されている。外箱および内箱は、それぞれ鋼板を溶接により接合して組み立てられ、十分な強度を保持できるようになっている。また、外箱は風雨や砂塵および盗難などから内部の装置や商品を保護するために必要な気密性が保持されている。また、筐体の断熱構造は、外箱に内箱を組み込んだ後に、両箱の間隙にポリウレタン等の発泡材の原料を注入して発泡させ、両箱との間に隙間が生じないようにして断熱性を保持するもの（例えば、特許文献１参照）と、外箱と内箱の間隙に発泡ポリウレタンや発泡スチロール等から成る厚板状の断熱片を配設することにより断熱性を保持するもの（例えば、特許文献２参照）とがある。さらに詳細には、前者は、商品の保存温度が保存品質を大きく左右するために、商品を保存する筐体が高い断熱性能を必要とする冷凍商品や、アイスクリームを販売する自動販売機に使用され、後者は、保存品質が保存温度に影響され難い缶等の飲料を、冷却・加温して販売する自動販売機に使用されている。
【特許文献１】特開平１０−０９１８６２号公報
【特許文献２】特開２００１−１０１５１４号公報
【発明の開示】
【発明が解決しようとする課題】
【０００３】
しかしながら、上記従来の構成において、前者の外箱と内箱の間に発泡材の原料を注入して発泡させる筐体構造において、外箱と内箱及び断熱部が一体的に形成されるため比較的良好な断熱性能を保持すると共に、筐体の強度が増す長所を有するが、外箱と内箱を分離する等の分解作業が極めて困難であり、今後の製品開発の要件となるであろう「環境への影響を配慮した製品」即ち、リサイクル性の観点からは問題点があった。
【０００４】
また、後者の筐体構造においては、外箱、内箱および断熱部材の分離は容易で、リサイクル性上の観点からは問題はないが、その組立を容易に行うために各部に隙間を設ける必要があった。そして、その必要性から内箱と断熱片の間に隙間を設けることにより、商品冷却時には空気中の水分がこの隙間部分の内箱表面に結露して付着し、これを断熱材が吸湿して、断熱性能が時間の経過と共に低下してしまう問題があった。
【０００５】
本発明は、上記従来の課題を解決するもので、高い断熱性能を保持すると共に、組立ておよび分離・分解作業を能率良く行うことが可能でかつ構造的強度を有した自動販売機の筐体を提供することを目的とする。
【課題を解決するための手段】
【０００６】
上記従来の課題を解決するために、本発明の自動販売機の筐体は、断熱材の内部にさらに高性能な真空断熱パネルを埋設した断熱パネルを設けるとともに、断熱パネルの内壁と外壁との熱伝導を最小限に抑えるために断熱パネル同士の当接面には断熱パネル内の断熱部同士が直接当接するように設け、また厚さの異なる複数の断熱パネルを組み合わせて内箱を形成したものである。
【０００７】
これによって、真空断熱パネルの本来の単独での高い断熱性能に加えて、内壁と外壁との鋼板自体の直接的な熱伝導を遮蔽して断熱パネル組立て状態での断熱パネル同士の当接面からの熱の損失を最小限に抑えた構成を有しながら、同時に異なる厚さの断熱パネルを組み合わせることで断熱パネル間の当接部における重ね合わせによる高い構造的強度をも確保する構造とすることができる。
【発明の効果】
【０００８】
本発明の自動販売機の筐体は、熱損失を最小限に抑えた高い断熱性能を有するため、温度維持性能に優れて収納商品への熱的ダメージが抑えられ高精度な温度制御が可能である。
【０００９】
また、熱ロスが少ないため従来より冷却能力を抑えた冷却システムでの運用が可能であり機器のコストダウンおよび電気代等のランニングコストを低減できる。
【００１０】
また、断熱壁厚が薄くて済むため内箱の庫内有効内容積を増加させて商品の収納量を増加させることができる。
【００１１】
また、鋼板で強化された断熱パネルを積み重ね合わせて構成されているため高い構造的強度を有する構造とすることができる。
【００１２】
また、断熱パネル同士の当接面における密着度を向上させながらも組立ておよび分解作業を容易に行う構造とすることができる。
【発明を実施するための最良の形態】
【００１３】
請求項１に記載の発明は、天板、底板、両側板および背板から成る外箱と、前記外箱の内側に複数の断熱パネルを配置し、内壁として構成した内箱とで形成される自動販売機の筐体において、前記断熱パネルは外周を鋼板で覆い、内部には充填発泡した断熱材を備え、前記断熱パネルの少なくとも１つには内部に真空断熱パネルを埋設したことにより、さらに断熱効果を高めることが可能であり、その効果分だけ断熱パネルの厚さを薄くして庫内の有効容積を大きくする若しくは冷却能力を抑えた安価な冷却システムの適用を可能とすることができる。
【００１４】
請求項２に記載の発明は、請求項１に記載の発明において、断熱パネル同士の当接面は、部分的に開口し、前記断熱パネル内の断熱部が対向して当接するものであり、断熱パネル同士の当接面において、断熱パネルの内壁と外壁との熱伝導を最小限に抑えるという作用を有する。
【００１５】
請求項３に記載の発明は、請求項１または２に記載の発明において、内箱を形成する側板と背板の断熱パネルの壁厚は、側板の断熱パネル壁厚が背板の断熱パネルの壁厚よりも薄いことで、断熱性能を確保しながら内容積効率がアップし、商品の貯蔵容積を確保することができる。
【００１６】
請求項４に記載の発明は、請求項１から３のいずれか一項に記載の発明において、側板の断熱パネル内には真空断熱パネルを有し、鋼板の外箱側に埋設されたことで、内箱側からの構造体の取付を可能とする作用を有する。
【００１７】
請求項５に記載の発明は、請求項１から４のいずれか一項に記載の発明において、側板の断熱パネルに当接する背板の断熱パネルの当接面は、略面取り形状に形成されていることで、断熱パネル間の密着度を向上させることで断熱性能の低下を回避できるとともに組立ておよび分解作業を容易に行うことが可能とする作用を有する。
【００１８】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１９】
（実施の形態１）
図１は、本発明の実施の形態１による自動販売機の筐体を示す組み立て構成図である。図２は、同実施の形態の自動販売機の筐体の背面−右側面の断熱パネルの詳細断面図である。図３は、同実施の形態の自動販売機の正面図である。図４は、同実施の形態の自動販売機の側面断面図である。図５は、同実施の形態の自動販売機の外扉を開けた状態の正面図である。
【００２０】
図１〜図５に示すように、自動販売機本体１には前面に開口を有する収納庫２が配設されており、自動販売機本体１の前面には硬貨投入口及び選択ボタン等を配設した外扉３が設けられている。選択ボタンには商品選択ランプが備えられ、収納庫２内商品の在庫有無を表示する。収納庫２の前面開口部には庫内の気密を保つ中扉４が開閉自在に設けられ、外扉３の中央下部には商品Ａ（Ｂ）を取り出すための販売口５が備えられている。
【００２１】
ここで商品Ａは小さいサイズの商品で円錐状のアイスクリームである。商品Ｂは大きいサイズの商品で矩形状の包装材に入ったアイスクリームであると定義し、何れも収納庫２内に収納され例えば冷凍温度帯で保存される販売対象の商品である。収納庫２には内設され下面に商品送出用の開口を形成したスパイラルラック６が設けられている。
【００２２】
シューター３１は、スパイラルラック６の直下に配置されスパイラルラック６から送出された商品Ａ（Ｂ）を受け止めて販売口５まで導くものであり、表面が滑り易い素材にて複数の傾斜板で構成されている。シューター３１の前方中央には開口部３２が設けられ商品Ａ（Ｂ）を庫内から庫外へと導いている。開口部３２前部には庫内と庫外の間仕切りをするシャッター装置３３が設けられ、シャッター装置３３には左右に移動することで庫内を開放・閉鎖する開口部３２より少し大きいスライドドアー３４が備えられており、スライドドアー３４は販売待機時にシャッター装置３３の最右側（開口部３２の直全前）に待機して庫内を閉鎖している。
【００２３】
次に、自動販売機本体１の外郭は、構造体として天板、底板、左側板、右側板および背板から成る外箱５５を形成しており、収納庫２の内側は板状の断熱パネル５６によりそれぞれ５６ａ、５６ｂ、５６ｃ、５６ｄ、５６ｅが当接面５７を介して順次挿入組み立てられて内箱５８を形成している。当接面５７となる各々の断熱パネル５６には軟質のウレタンフォームが貼付されている。
【００２４】
断熱パネル５６は、鋼板製の外板５９と内板６０との間においてポリウレタン等の発泡材の原料を注入発泡させて形成した断熱材６１を挟み込んで板状に構成されており、本実施例においては断熱パネル５６のうち５６ａ、５６ｃ、５６ｄの断熱材の内部には高断熱性能の真空断熱パネル６２が埋設されて壁厚の薄い形状に構成されている。また、断熱パネル５６のうち５６ｂ、５６ｅについては、構造体の強度を補完すべく壁厚は厚い形状で構成されている。
【００２５】
また、真空断熱パネル６２が埋設された断熱パネル５６ａ、５６ｃ、５６ｄにおいて、真空断熱パネル６２は、断熱パネル５６内部の厚み方向で外板５９側に埋設発泡されている。
【００２６】
また、断熱パネル５６の外周面には、予め断熱パネル５６同士の当接面５７に当たる全周に亘って外板５９と内板６０の接合がなされておらず発泡スチロール等の熱伝導しにくい材料によって縁切りされた断熱部６３が形成されている。
【００２７】
以上のように構成された自動販売機の筐体について、以下その動作、作用を説明する。
【００２８】
まず、製造上の組立て時において、例えば断熱パネル５６は、始めに５６ａ、次に５６ｃ、５６ｄ、続いて５６ｅ、最後に５６ｂの順に外箱５５内に挿入して組み立てられる。ここで、断熱パネル５６ｅの組み立ての際には断熱パネル５６ｄ、５６ｃの各々断熱部６３が庫内内側に向かってテーパ状に張り出しており、それに当接すべく断熱パネル５６ｅの断面は逆テーパ状にカットされた形状となっている。この接触面である断熱部６３の当接面５７には断熱発泡フォーム等が貼り付けられており、テーパ状のシール面による縁面接触距離が増大したことに加えてフォームを圧縮することでさらに高い機密性が確保されるように構成している。
【００２９】
組立の最終段階には、各断熱パネル５６同士の当接面５７を圧縮状態で固定すべくＬ型断面のチャネルが各々の断熱パネル５６同士を締結して構成される。この際、分解を容易とするためのネジ締結に当たっても真空断熱パネル６２は断熱パネル５６内部厚み方向の外箱５５側に埋設発泡されているため損傷による断熱性能の劣化の心配はなく、庫内の収納構造体の取り付けにおいても同様であることはいうまでもない。
【００３０】
以上のように本実施の形態においては、天板、底板、両側板および背板から成る外箱と、断熱材を囲うべく鋼板を配して構成した複数の断熱パネルと、前記外箱の内側に前記断熱パネルを配設して前記断熱パネルの鋼板を内壁として構成された内箱と、前記断熱パネルの少なくとも１つには断熱材の内部に真空断熱パネルを埋設したことにより、さらに断熱効果を高めることが可能であり、その効果分だけ断熱パネルの厚さを薄くして庫内の有効容積を大きくする若しくは冷却能力を抑えた安価な冷却システムの適用を可能とすることができる。
【００３１】
また、本実施の形態においては、断熱パネル５６の当接面には部分的に開口部１００が備えられ、開口部１００には断熱パネル５６の内部に配置された断熱部６３があり、断熱パネル５６同士の当接面において、断熱部６３同士が直接当接し、断熱パネルの内壁と外壁との熱伝導を最小限に抑えることができる。
【００３２】
また、本実施の形態においては、断熱パネルの厚さの異なる複数を組み合わせて構成したことで、必要に応じて内箱を形成する各構成面における断熱性能および断熱パネル同士の各境界面における重複部に当たる断熱距離を選択でき、庫内の循環風路の構成上において高い断熱性が必要な部分あるいは構造強度の必要な面に限って使用することでコストを低く押さえた上で庫内側の有効容積を最大限に高めることができる。
【００３３】
また、本実施の形態においては、真空断熱パネルを、断熱パネル内部断面における外箱側に埋設したことで、内箱側からの構造体の取付を何ら支障なく可能とすることができる。
【００３４】
また、本実施の形態においては、断熱パネル同士の当接面において略楔形状の断面を有するように形成したことで、断熱パネル間の密着度を向上させることで断熱性能の低下を回避できるとともに組立ておよび分解作業を容易に行うことができる。
【産業上の利用可能性】
【００３５】
以上のように、本発明にかかる自動販売機の筐体は、熱損失を最小限に抑えた高い断熱性能を有したうえで高い構造的強度を有する構造とすることができるので、高精度な温度制御や省エネを必要とする比較的大型の冷凍・冷蔵庫や温蔵庫・保温庫等の用途にも適用できる。
【図面の簡単な説明】
【００３６】
【図１】本発明の実施の形態１における自動販売機の筐体を示す組み立て構成図
【図２】同実施の形態の自動販売機の筐体の背面−右側面における断熱パネルの詳細断面図
【図３】同実施の形態の自動販売機の正面図
【図４】同実施の形態の自動販売機の側面断面図
【図５】同実施の形態の自動販売機の外扉を開けた状態の正面図
【符号の説明】
【００３７】
５５  外箱
５７  当接面
５８  内箱
５６、５６ａ、５６ｂ、５６ｃ、５６ｄ、５６ｅ  断熱パネル
６１  断熱材
６２  真空断熱パネル
６３  断熱部
【図１】
2006331253.tif 000003
【図２】
2006331253.tif 000004
【図３】
2006331253.tif 000005
【図４】
2006331253.tif 000006
【図５】
2006331253.tif 000007